(57)【要約】【課題】生体から流れる電流を直接測れるように構成した作用量のレベル表示装置を課題とする。【解決手段】筐体の上面に凹部と１極のコネクタと表示部を設け、筐体の凹部に、凹部形状に略一致する板状の接触電極を取り付け、被施術者が触れられるようにする。コネクタはケーブルを介して電位発生装置のアース側出力に接続できるように構成し、筐体内に整流回路を設け、接触電極とコネクタに接続する。同様に、整流回路で整流された整流信号を平滑する平滑回路と、平滑回路で平滑された平滑信号を増幅する増幅回路と、増幅回路で増幅された信号のレベルを表示する表示部と、夫々の回路に電力を供給する電池を内蔵するレベル表示装置を用い、電位発生装置→電床→被施術者→レベル表示装置→電位発生装置と流れる信号レベルを測定、表示する。【選択図】図１
2010075438.tif 000002
【特許請求の範囲】
【請求項１】
パルス電位施術において生体に作用する力量を、生体に流れる電流をから間接的に求め、表示するレベル表示装置であって、
外側上面の一部に凹部を設けた筐体と、
前記凹部形状に略一致する平板状の接触電極を、前記生体が接触可能に前記凹部に設置し、
外側上面の凹部以外の場所に１極のコネクタと表示部を設けるとともに、
前記筐体内には、
前記接触電極と前記コネクタ間に入力された信号を整流する整流回路と、
前記整流回路で整流された整流信号を平滑する平滑回路と、
前記平滑回路で平滑された平滑信号を増幅する増幅回路と、
前記増幅回路で増幅された信号の大きさがわかるような表示を行う表示回路と、
既記の各回路に電力を供給する電池を内蔵した
ことを特徴とするレベル表示装置。
【発明の詳細な説明】
【技術分野】
【０００１】
本発明は、パルス電位施術における生体に作用する力量を表示するレベル表示装置に関する。
さらに言えば、生体に流れる電流をから間接的に力量を求め、表示するレベル表示装置に関する。
【背景技術】
【０００２】
治療または美容の為に行われるパルス電位施術は、電極を絶縁物で覆った電床の上に、被施術者たる生体が横たわる、または座るなどした状態で、生体と電床との間に電位差を与え、生体にクーロン力を作用させる施術である。
【０００３】
生体と電床との間に電位差を与える電位源として電位発生装置がある。
現在市販されている電位発生装置には、電位差を可変できる機能や、電位波形を可変する機能を備えるものもある。
【０００４】
ところで、クーロン力は生体が感知できない。  
例えば、前述の電位発生装置で印加電位を変化させても、その差を被施術者は感じることはできない。
一方、被施術者が、どのくらいの力量が自分に作用しているのか知りたいのは自然の要求である。
【０００５】
公知の技術としては、特許文献１がある。
特許文献１には、電位発生装置内のトランスの２次側に電流計を備え、フィードバック制御で出力をコントロールする技術が開示されている。  表示を目的とするものではないが、電流量から出力を測るという点で本発明に類似する。
【特許文献１】特開２００６−２６１４６号（公報）
【発明の開示】
【発明が解決しようとする課題】
【０００６】
ところで、特許文献１には以下の点でレベル表示装置として不具合がある。
一つ目は、既述のとおり、レベルを表示するものではないことである。
２つめは生体に作用する力量を測るものではないことである。  生体に作用する力量を、生体に流れる電流で関節的に測るには、生体から流れる電流を直接測る必要がある。
３つ目は商用電源からのノイズを考慮していない点である。
【０００７】
そこで、本発明は上記の問題を解決し、パルス電位施術における生体に作用する力量を、生体に流れる電流をから間接的に求め、表示するレベル表示装置の具現化を課題とする。
【課題を解決するための手段】
【０００８】
電位発生装置のアースではない側の出力に接続された電床の上に、被施術者が寝るか座った状態において、
外側上面の一部に凹部を設けた筐体と、
前記凹部形状に略一致する平板状の接触電極を、前記生体が接触可能に前記凹部に設置し、
外側上面の凹部以外の場所に１極のコネクタと表示部を設けるとともに、
前記筐体内には、
前記接触電極と前記コネクタ間に入力された信号を整流する整流回路と、
前記整流回路で整流された整流信号を平滑する平滑回路と、
前記平滑回路で平滑された平滑信号を増幅する増幅回路と、
前記増幅回路で増幅された信号の大きさがわかるような表示を行う表示回路と、
既記の各回路に電力を供給する電池を内蔵した
レベル表示装置を用いる。
【発明の効果】
【０００９】
生体が直に触れる接触電極を有するので生体に流れる電流が正しく測定できる。
また、電源として電池を内蔵したことによりノイズの影響を受けない測定ができる。
以上から正確な測定値が得られ、それをレベル表示するので、被施術者が正しい力量を知ることが可能である。
【実施例】
【００１０】
図１は本発明によるレベル表示装置である。
筐体１は絶縁性の材質で作られる。
筐体上面には表示部と凹部及びコネクタを設ける。
凹部には板状の接触電極を組み込む。
【００１１】
表示部２は複数の発光ダイオードが設けられ、筐体内部に発光ダイオード駆動する表示回路がある。
表示回路は入力される信号強度により、発光ダイオードの点灯数を増減させる。
例えば、強い信号が入力されれば５個の発光ダイオードを点灯させ、弱いときに４個、３個、２個と
その強度に合わせ減ずるようになっている。
なお、表示回路はレベルメータ用ICとして市販される物を使うとよい。
【００１２】
接触電極は耐錆性の金属、或いは耐錆性物質の鍍金を施した板状のものである。
使用者が触れる事を考慮してエッジは裂傷防止処理を行うとよい。
【００１３】
コネクタは、電位発生装置からのコードを容易に脱着できる用に設ける。
【００１４】
コネクタと接触電極は電気的に整流回路に接続される。
整流回路はコネクタ、接触電極が受けた信号を整流するもので、小信号用のダイオード、整流ダイオード等が使用できる。
【００１５】
整流回路は平滑回路に接続される。
平滑回路は整流直後の脈流を平滑する。
【００１６】
平滑された信号は、レベル調整（図示せず）され、レベルメータ用ICに入力される。  なお、レベル調整は、レベルメータ用ICの入力定格に合うように平滑信号のレベルを調節する。
【００１７】
次に使用方法について説明する（図４）。
実際に使用するには電位発生装置と電床と本件レベル表示装置を用いる。
電位発生装置出力の一方と、電床を電気的に接続する。
被施術者は電床の上に寝るか座り、体の一部レベル表示装置の接触電極に接触させる。
レベル表示装置のコネクタは、電位発生装置出力の他方と電気的に接続させる。
【００１８】
このときパルス電位信号は電床と、レベル表示装置を経由して生態に印加される。
生体には、電荷の積に比例し、距離の二乗に反比例するクーロン力が作用する。
【００１９】
電床と生体はコンデンサを形成しているから、パルス電位信号の交流成分の電流が流れる。
電流量は電圧に比例して、電床と生体の距離に反比例するので、生体に作用するクーロン力に比例する。
すなわち、電流値からクーロン力を間接的に測定できる。
【００２０】
そして、レベル表示装置は上記交流電流のレベル則した表示（本件ではLEDの点灯個数増減）を行う。
【図面の簡単な説明】
【００２１】
【図１】レベル表示装置の概観図
【図２】接触電極の取付状態を示す図
【図３】レベル表示装置のブロック図
【図４】本件レベル表示装置の用い方
【図１】
2010075438.tif 000003
【図２】
2010075438.tif 000004
【図３】
2010075438.tif 000005
【図４】
2010075438.tif 000006